(57)【要約】      （修正有）【課題】トリガー動作を要する用具特にトリガー式の消毒液ボトルや非接触型体温計に対応した足踏み式多目的スタンドを提供する。【解決手段】足踏み式多目的スタンドは、足踏み式ペダル１４を踏むことによる上から下への動力を、接続線１０、ジョイント６、可動バー９、スライダー３の機構を利用して水平方向の動力に変換する。さらに、スライダー３、トリガー押し具１の機構により、前述の水平運動を回転運動に変換し、ボトルのトリガーに作用する。動力をトリガーに伝えることに加え、ボトル本体が固定されていることにより、ボトルのトリガーを作動させることができる。ボトルを設置する台２０は上下調整機能を持ち、ボトルのトリガーの高さをトリガー押し具１の先の高さに調整することで、高さの異なる様々なボトルに対応することが可能となる。また、ボトルの固定には締め付け長さ調整機能を持ったバンド２１を使用することで、奥行きの異なる様々なボトルに対応することが可能となる。【選択図】図１
0003229142.tif 000002
【実用新案登録請求の範囲】
【請求項１】
トリガー動作を要する用具のための足踏み式多目的スタンドであって、垂直方向に立てられた支柱と、前記支柱を固定する三脚と、前記支柱の下方に設置された足踏みペダルと、前記足踏みペダルからの足踏み動作を用具のトリガー部を押すために伝達する操作力伝達手段と、前記支柱に取り付けられた用具載置台と、前記用具載置台に載置した用具を前記用具載置台に固定するための固定手段とを具備していることを特徴とする足踏み式多目的スタンド。
【請求項２】
前記操作力伝達手段は、前記足踏みペダル前端から前記支柱の内側に沿って前記支柱の上方に配設された可動バーまで接続される接続線と、前記可動バーの接続線による下方向の動きを可動バーに連結されたスライダーの揺動動作に変換することで前記スライダーに連結されたトリガー押し具のトリガー押し動作を発生させる機構とから構成されていることを特徴とする請求項１記載の足踏み式多目的スタンド。
【請求項３】
前記用具載置台は、前記支柱に垂直方向に形成された長穴部に沿って上下調整自在とされネジ留めにより固定される固定台に固着されていることを特徴とする請求項１記載の足踏み式多目的スタンド。
【請求項４】
用具を前記用具載置台に固定するための前記固定手段は、締め付け長さ調整機能とワンタッチ締結機能を併せ持ったバンドを使用することを特徴とする請求項１記載の足踏み式多目的スタンド。
【請求項５】
請求項１記載のトリガー動作を要する用具は、消毒液ボトルであることを特徴とする足踏み式多目的スタンド。
【請求項６】
請求項１記載のトリガー動作を要する用具は、非接触型体温計であることを特徴とする足踏み式多目的スタンド。
【考案の詳細な説明】
【技術分野】
【０００１】本考案は、トリガー式の消毒液ボトルや非接触型体温計などトリガー動作を要する用具に対応した足踏み式多目的スタンドに関するものである。
【背景技術】
【０００２】昨今、新型ウィルスの感染が世界的に猛威を振るっており、感染拡大防止や予防対策として手や身の回り品などを頻繁に消毒液などで消毒することが日常生活において定着してきている。このため、特に手や指については消毒液ボトルからの消毒液噴射による消毒が多用されるようになってきている。また、多人数の集まる施設等の入口での非接触型体温計による検温実施も徹底されてきている。
【先行技術文献】
【特許文献】
【０００３】
【特許文献１】特開２０１１−１１０２５２号公報
【考案の概要】
【考案が解決しようとする課題】
【０００４】上述のように消毒液ボトルの利用が増えてきているが、消毒液を手に吹きかける際には消毒液ボトルの噴射具を触る必要があり、衛生上問題があった。このため、例えば特許文献１に示すような非接触式で消毒液を噴射させるための足踏み式消毒スタンドが開発され使用されるようになってきているが、これまでに開発された足踏み式消毒液スタンドは操作ヘッドの頂部を押圧する方式のボトル（以下プッシュ式ボトルと呼ぶ）に対応したタイプのみでトリガー式の消毒液ボトルに対応したものはなかった。また、非接触型体温計についても測定者又は被測定者が体温計に手や指に触れずに測定することが求められているが、これに対応する簡易な器具もなかった。【０００５】本考案は上記課題を解決するため、トリガー動作を要する用具特にトリガー式の消毒液ボトルや非接触型体温計に対応した足踏み式多目的スタンドを提供することを目的とする。
【課題を解決するための手段】
【０００６】上記目的を達成するため、本考案の足踏み式多目的スタンドは、トリガー動作を要する用具のための足踏み式多目的スタンドであって、垂直方向に立てられた支柱と、前記支柱を固定する三脚と、前記支柱の下方に設置された足踏みペダルと、前記足踏みペダルからの足踏み動作を用具のトリガー部を押すために伝達する操作力伝達手段と、前記支柱に取り付けられた用具載置台と、前記用具載置台に載置した用具を前記用具載置台に固定するための固定手段とを具備していることを特徴としている。【０００７】前記操作力伝達手段は、前記足踏みペダル前端から前記支柱の内側に沿って前記支柱の上方に配設された可動バーまで接続される接続線と、前記可動バーの接続線による下方向の動きを可動バーに連結されたスライダーの揺動動作に変換することで前記スライダーに連結されたトリガー押し具のトリガー押し動作を発生させる機構とから構成されていることを特徴としている。
【考案の効果】
【０００８】本考案の足踏み式多目的スタンドを使用すれば、トリガー動作を要する用具特にトリガー式の消毒液ボトルについては足踏みペダルからの足踏み動作により消毒液ボトルに手や指をふれずに消毒液を噴射させることができ、また、非接触型体温計ついては同様に足踏みペダルからの足踏み動作で測定者又は被測定者が体温計に手や指をふれずに検温を行うことができる。【０００９】さらに、上記のトリガー式の消毒液ボトルや非接触型体温計については多人数の集まる施設等の入口で本考案の足踏み式多目的スタンドをセットで使用すればより効果的である。
【図面の簡単な説明】
【００１０】
【図１】本考案に係る足踏み式多目的スタンドで、支柱の一部を破断線で切り取って内部を表示した右側面図である。
【図２】足踏み式多目的スタンドの背面図である。
【図３】図１の要部拡大図である。
【図４】図３のＡ−Ｂ−Ｃ−Ｄ−Ｅ線矢視図である。
【図５】図２のボトル台（用具載置台）まわりの分解斜視図である。
【考案を実施するための形態】
【００１１】本考案に係る足踏み式多目的スタンドの一実施の形態として、トリガー動作を要する用具を請求項５に記載の消毒液ボトルに適用した場合について図１〜図５に基づいて説明する。
足踏み式多目的スタンドの本体の主要な部品として、支柱１１を備えている。また、支柱１１を支える３本の足を備えている。足は２本の左右足１３及び、１本の後ろ足１７からなっている。
【００１２】支柱１１には、ペダル固定軸１６によりペダル受け１５が取り付けられている。ペダル受け１５は、ペダル固定軸１６を中心に回転できる構造となっている。自由に回転できる構造であることに加え、ペダル受け１５は、支柱１１の真下部は、地面より浮くようになっており、ペダル受け１５の先端が、地面の任意の高さに自重で置かれる構造となっている。これにより地面に凹凸がある場合でも左右足１３及び後ろ足１７による３点支持となり、スタンドが常に安定した状態で設置されている。
【００１３】ペダル受け１５の先端には蝶番２４が取り付けられており、さらに蝶番２４にペダル１４が取り付けられている。
【００１４】ペダル１４は、フック１２を通じて、接続線１０により吊り下げられ、上部機構へと接続されている。
【００１５】接続線１０は、接続線取付ピン２５により、可動バー９に取り付けられている。
【００１６】可動バー９は、３つの穴を持っており、下部の穴には接続線取付ピン２５、中心の穴にはジョイント／可動バー接合軸８、上部の穴にはスライディング軸２２を通すことができる。可動バー９は、動作を安定的なものにするために、２個使用し、ジョイント６及び、スライダー３を挟み込む構造となっている。可動バー９の中心の穴には、ジョイント／可動バー接合軸８が通っており、この軸により、ジョイント６と接合される。
【００１７】ジョイント６は、２つの穴を持っており、下部の穴が前述のジョイント／可動バー接合軸８のための穴であり、上部の穴は、ジョイント固定軸７を通して、支柱１１にジョイント６を固定するために使用される。
【００１８】可動バー９の上部の穴に通っている、スライディング軸２２を通じて、可動バー９はスライダー３に接続されている。
【００１９】スライダー３は、２つの穴を持っており、下部の穴は前述のスライディング軸２２を通じて、可動バー９に接続されている。もう一方の上部の穴は、スライダー回転軸２が通っており、スライダー回転軸２により、支柱１１に取り付けられており、スライダー回転軸２を中心に回転する機構を持っている。下部の穴は長穴にしてあることにより、可動バー９の水平方向への運動を、スライダー回転軸２を中心とした回転運動に変換させることを可能にしている。
【００２０】スライダー３の最上部には、トリガー押し具１が取り付けられている。トリガー押し具１は、スライダー回転軸２を中心にスライダー３と同方向に回転する機構を持っている。
【００２１】固定台１８は、コの字型の部品で、支柱１１に沿って上下することにより、市販の様々なサイズのボトルに対応する機能を持っている。固定台１８には、ボルト２７を通す穴があり、支柱１１に切られた溝の中にボルト２７の頭を入れ、外に向けて固定台１８の穴に通し、さらにノブナット１９により外から締めることにより、工具を使用することなく容易に高さ調整ができる構造となっている。固定台１８は、ボルト２７に加え、駒２６による２点で支柱１１に固定されることにより、トリガー押し具１からの力に負けることなく、ボトルを支えることを実現している。駒２６は、ボルト２７と同様に固定台１８を支える部品であるが、駒２６と皿ねじ２８の間に固定台１８とボトル台２０を挟んであらかじめ固定されている。駒２６の段差部は、皿ねじ２８を締め込んだ時に、固定台１８が上下に滑ることができる最小限の隙間が確保されるように設定されており、固定台１８を適度な高さで支柱１１に固定する役割は、ボルト２７とノブナット１９の組のみが担当している。これにより、駒２６とボルト２７の二点で支えることによる安定性と、ノブナット１９のみの締め込みによる調整の容易さの両立を実現している。
【００２２】固定台１８には、ボトル台２０が取り付けてあり、ボトル台２０の長穴にバンド２１を通すことにより、ボトルを固定する構造となっている。バンド２１は締め付け長さ調整機能を持ったものを使用することで、奥行きの異なる様々なボトルに対応することが可能となる。
【００２３】ペダル１４を踏むことによる動力は、蝶番２４を支点にフック１２を通じて、接続線１０を引き下ろす。接続線１０を引き下ろす動力は、可動バー９を下方向に移動させようとする力となるが、ジョイント７との作用により、スライディング軸２２は水平方向に移動させられる。スライディング軸２２が水平方向に移動することにより、スライダー３がスライダー回転軸２を中心に回転する。それと同時に、トリガー押し具１が、スライダー回転軸２を中心にスライダー３と同方向に回転する。このトリガー押し具１の回転力が、ボトル台２０にバンド２１により固定された対象ボトルのトリガーに作用し、作動させることが可能となっている。
【００２４】以上、本考案に係る足踏み式多目的スタンドの一実施の形態として、トリガー動作を要する用具を請求項５に記載の消毒液ボトルに適用した場合について説明したが、請求項６に記載の非接触型体温計への適用については、ボトル台（用具載置台）に消毒液ボトルに代えて非接触型体温計を置き、上下方向の調節を行い固定するだけ使用することができる。
また、本考案に係る足踏み式多目的スタンドは、上記の消毒液ボトルや非接触型体温計以外にもトリガー動作を手や指を触れずに行いたい各種用具に対しても適用することができる。
【符号の説明】
【００２５】  １  トリガー押し具
２  スライダー回転軸
３  スライダー
４  バネ固定フタ
５  スライダー押えバネ
６  ジョイント
７  ジョイント固定軸
８  ジョイント／可動バー接合軸
９  可動バー
１０  接続線
１１  支柱
１２  フック
１３  左右足
１４  ペダル
１５  ペダル受け
１６  ペダル固定軸
１７  後ろ足
１８  固定台
１９  ノブナット
２０  ボトル台（用具載置台）
２１  バンド
２２  スライディング軸
２３  スライディング用長穴
２４  蝶番
２５  接続線取付ピン
２６  駒
２７  ボルト
２８  皿ねじ
【図１】
0003229142.tif 000003
【図２】
0003229142.tif 000004
【図３】
0003229142.tif 000005
【図４】
0003229142.tif 000006
【図５】
0003229142.tif 000007